(57)【要約】【課題】作業者によって水槽の水位を監視することなく、水路断水時における水力発電機の運転を自動的に調整できるようにすると共に、水路や水槽の内部作業の効率性、及び信頼性を向上できるようにする。【解決手段】水力発電用の水路１を有した水力発電所における稼動中の水力発電機８の運転を管理する場合であって、水路１に接続された水槽２に設定された通常運転用及び断水運転用の水位基準値と、水槽２の水位を検出して得られる水位データとに基づいて水力発電機８の運転を制御する制御部９を備え、水力発電機８の通常運転時には、制御部９に対して通常運転モードを設定し、水力発電機８の断水運転時には、通常運転モードを解除して断水運転モードを制御部９に設定するものである。【選択図】    図１
2008057392.tif 000002
【特許請求の範囲】
【請求項１】
水力発電用の水路を有した水力発電所における稼動中の水力発電機の運転を管理するシステムであって、
前記水路に接続された水槽に第１の基準値を設定し、前記水槽の水位を検出して得られる第１の水位情報と前記第１の基準値とを比較した結果に基づいて前記稼働中の水力発電機の運転を停止する動作を第１のモードとし、
前記水路に接続された水槽に第１の基準値よりも低い第２の基準値を設定して前記水路を断水し、前記水槽の水位を検出して得られる第２の水位情報と前記第２の基準値とを比較した結果に基づいて前記稼働中の水力発電機の運転を停止する動作を第２のモードとしたとき、
前記第１及び第２の基準値を設定する設定手段と、
前記水槽の水位を検出する検出手段と、
前記設定手段により設定された第１及び第２の基準値と、前記検出手段から得られる水位情報とに基づいて前記水力発電機の運転を制御する制御手段とを備え、
前記水力発電機の通常運転時には、前記制御手段に対して第１のモードを設定し、
前記水力発電機の断水運転時には、前記第１のモードを解除して前記第２のモードを前記制御手段に設定することを特徴とする水力発電機の運転管理システム。
【請求項２】
前記水力発電機の断水運転時には、
前記制御手段が、
前記水力発電機の出力を断水運転用に調節することを特徴とする請求項１に記載の水力発電機の運転管理システム。
【請求項３】
水力発電用の水路を有した水力発電所における稼動中の水力発電機の運転を管理する方法であって、
前記水路に接続された水槽に第１の基準値を設定し、前記水槽の水位を検出して得られる第１の水位情報と前記第１の基準値とを比較した結果に基づいて前記稼働中の水力発電機の運転を停止する動作を第１のモードとし、
前記水路に接続された水槽に第１の基準値よりも低い第２の基準値を設定して前記水路を断水し、前記水槽の水位を検出して得られる第２の水位情報と前記第２の基準値とを比較した結果に基づいて前記稼働中の水力発電機の運転を停止する動作を第２のモードとしたとき、
前記水力発電機の通常運転時には、前記第１のモードを設定し、
前記水力発電機の断水運転時には、前記第１のモードを解除して前記第２のモードを設定することを特徴とする水力発電機の運転管理方法。
【請求項４】
前記水力発電機の断水運転時には、
前記水力発電機の出力を断水運転用に調節することを特徴とする請求項３に記載の水力発電機の運転管理方法。
【発明の詳細な説明】
【技術分野】
【０００１】
この発明は、水力発電用の水路を有した水力発電所における稼動中の水力発電機の運転を管理する水力発電機の断水用運転管理システムに適用可能な水力発電機の運転管理システム及びその運転管理方法に関するものである。
【０００２】
詳しくは、水路に接続された水槽に設定された第１及び第２の基準値と、水槽の水位を検出して得られる水位情報とに基づいて水力発電機の運転を制御する制御手段を備え、水力発電機の通常運転時には、制御手段に対して第１のモードを設定し、水力発電機の断水運転時には、第１のモードを解除して第２のモードを制御手段に設定し、作業者によって水槽の水位を監視することなく、断水運転時における水力発電機の運転を自動的に調整できるようになると共に、水路や水槽の内部作業の効率性、及び信頼性を向上できるようになる。
【背景技術】
【０００３】
従来、水力発電用の水路を断水して水力発電所における稼動中の水力発電機の運転を管理する場合、作業者が、水路に接続された水槽の水位を監視しながら、水力発電機の出力下げ調整や停止操作を行うことが多い。例えば、作業者は、先ず、水槽の水位が通常時の水力発電機停止の高さになることを確認する。しかし、この水力発電機停止の高さでは水位が高すぎて後工程の操作に時間がかかるので、作業者は、次に、この水力発電機停止の水位の基準値を一時的に解除し、水槽の水位が断水時の水力発電機停止の高さになるように手動で水位を調整する。
【０００４】
このような従来例に関連して特許文献１には、水車発電機の制御装置が開示されている。この制御装置によれば、取水口水位検出信号に対応した取水口流入量信号を算出し、これに基づいて運転可能出力値信号が算出される。これにより、実際の水槽への流量が出力指令信号に応じたものとなり、水槽の流量と水車の使用流量の差異が少なく、水槽の水位変動を招くことを回避することができる。
【０００５】
【特許文献１】特開平０８−９６９５号公報（第６頁、第２図）
【発明の開示】
【発明が解決しようとする課題】
【０００６】
ところで、従来例に係る水力発電用の水路を断水して水力発電所における稼動中の水力発電機の運転を管理するシステムによれば、作業者が、水路に接続された水槽の水位を監視しながら、水力発電機の出力下げ調整や停止操作を行うことが多い。このため、断水運転時における水力発電機の運転を自動的に調整することが困難である。これにより、作業者の操作ミスなどによって水路や水槽の内部作業の効率性、及び信頼性を失う恐れがある。
【０００７】
そこで、本発明はこのような従来例に係る課題を解決したものであって、作業者によって水槽の水位を監視することなく、水路断水時における水力発電機の運転を自動的に調整できるようにすると共に、水路や水槽の内部作業の効率性、及び信頼性を向上できるようにした水力発電機の運転管理システム及びその運転管理方法を提供することを目的とする。
【課題を解決するための手段】
【０００８】
上述した課題を解決するために、請求項１に記載の水力発電機の運転管理システムは、水力発電用の水路を有した水力発電所における稼動中の水力発電機の運転を管理するシステムであって、前記水路に接続された水槽に第１の基準値を設定し、前記水槽の水位を検出して得られる第１の水位情報と前記第１の基準値とを比較した結果に基づいて前記稼働中の水力発電機の運転を停止する動作を第１のモードとし、前記水路に接続された水槽に第１の基準値よりも低い第２の基準値を設定して前記水路を断水し、前記水槽の水位を検出して得られる第２の水位情報と前記第２の基準値とを比較した結果に基づいて前記稼働中の水力発電機の運転を停止する動作を第２のモードとしたとき、前記第１及び第２の基準値を設定する設定手段と、前記水槽の水位を検出する検出手段と、前記設定手段により設定された第１及び第２の基準値と、前記検出手段から得られる水位情報とに基づいて前記水力発電機の運転を制御する制御手段とを備え、前記水力発電機の通常運転時には、前記制御手段に対して第１のモードを設定し、前記水力発電機の断水運転時には、前記第１のモードを解除して前記第２のモードを前記制御手段に設定することを特徴とするものである。
【０００９】
本発明に係る水力発電機の運転管理システムによれば、水力発電用の水路を有した水力発電所における稼動中の水力発電機の運転を管理する場合であって、設定手段は、第１及び第２の基準値を設定する。検出手段は、水槽の水位を検出する。制御手段は、第１及び第２の基準値と、水位情報とに基づいて水力発電機の運転を制御する。水力発電機の通常運転時には、制御手段に対して第１のモードを設定し、水力発電機の断水運転時には、第１のモードを解除して前記第２のモードを制御手段に設定する。これにより、作業者によって水槽の水位を監視することなく、水路断水時における水力発電機の運転を自動的に調整できるようになる。
【００１０】
上述した課題を解決するために、請求項３に記載の水力発電機の運転管理方法は、水力発電用の水路を有した水力発電所における稼動中の水力発電機の運転を管理する方法であって、前記水路に接続された水槽に第１の基準値を設定し、前記水槽の水位を検出して得られる第１の水位情報と前記第１の基準値とを比較した結果に基づいて前記稼働中の水力発電機の運転を停止する動作を第１のモードとし、前記水路に接続された水槽に第１の基準値よりも低い第２の基準値を設定して前記水路を断水し、前記水槽の水位を検出して得られる第２の水位情報と前記第２の基準値とを比較した結果に基づいて前記稼働中の水力発電機の運転を停止する動作を第２のモードとしたとき、前記水力発電機の通常運転時には、前記第１のモードを設定し、前記水力発電機の断水運転時には、前記第１のモードを解除して前記第２のモードを設定することを特徴とするものである。
【００１１】
本発明に係る水力発電機の運転管理方法によれば、水力発電用の水路を有した水力発電所における稼動中の水力発電機の運転を管理する場合であって、作業者によって水槽の水位を監視することなく、水路断水時における水力発電機の運転を自動的に調整できるようになる。これにより、水路や水槽の内部作業の効率性、及び信頼性を向上できるようになる。
【発明の効果】
【００１２】
本発明に係る水力発電機の運転管理システム及びその運転管理方法によれば、水力発電用の水路を有した水力発電所における稼動中の水力発電機の運転を管理する場合であって、水路に接続された水槽に設定された第１及び第２の基準値と、水槽の水位を検出して得られる水位情報とに基づいて水力発電機の運転を制御する制御手段を備え、水力発電機の通常運転時には、制御手段に対して第１のモードを設定し、水力発電機の断水運転時には、第１のモードを解除して第２のモードを制御手段に設定するものである。
【００１３】
これにより、作業者によって水槽の水位を監視することなく、水路断水時における水力発電機の運転を自動的に調整できるようになる。従って、水路や水槽の内部作業の効率性、及び信頼性を向上できるようになる。
【発明を実施するための最良の形態】
【００１４】
続いて、本発明に係る水力発電機の運転管理システム及びその運転管理方法の一実施例について、図面を参照しながら説明をする。
【００１５】
図１は、本発明に係る水力発電機の断水用運転管理システム１００の構成例を示す概念図である。図１に示す断水用運転管理システムは、水路１、水槽２、鉄管３、及び水力発電装置４を備える。
【００１６】
水路１は、一端側に取水口５を備え、この取水口５は、河川などに接続され、この取水口５から河川水が流入する。水槽２は、水路１の他端側に接続され、この水槽２には、取水口５から流入した河川水が水路１を流れて充填される。水槽２は、排砂門６及び水位検出器７を備える。排砂門６は、水槽２の側面下部に設けられ、この排砂門６から水槽２に溜まった砂などが排出される。
【００１７】
水位検出器７は、検出手段の一例として機能し、水槽２の内側側面の上部に取付けられ、水槽２の水位を検出する。水位検出器７は、通信回線で水力発電装置４に接続され、検出した水位の水位情報を水力発電装置４に出力する。
【００１８】
この水位検出器７には、例えば、図示しないディジタル式水位検出器が使用される。このディジタル式水位検出器は、プーリー、ワイヤー、ウエイト、及び可変抵抗器を備える。プーリーにワイヤーが巻き付けられ、ワイヤーの一端にフロートが取付けられ、他端に２キロ程度のウエイトが取付けられる。フロートが水面に浮かべられ、水面に浮かんだフロートが、水面の上下動により浮き沈みすると同時に、プーリーが回転される。このプーリーの動きが歯車などにより可変抵抗器に伝達され、この可変抵抗器の抵抗値を水位情報として、水力発電装置４の制御部９へ出力する。
【００１９】
鉄管３は、一端が水槽２に接続され、他端が水力発電装置４に接続される。この鉄管３は、水槽２に充填された水を水槽２から水力発電装置４へ送出する。水力発電装置４は、水槽２の位置から所定の落差を有して設置され、水力発電機８、制御部９、キーボード２７及び図示しない水車を備える。水力発電装置４は、水槽２から送出されて付勢された水により水車を回転し、回転された水車に直結した水力発電機８で電気を発生させる。
【００２０】
ここで、第１のモードの一例である通常運転モードとは、水路１に接続された水槽２に第１の基準値の一例である通常運転用の水位基準値を設定し、この水槽２の水位を検出して得られる水位情報と通常運転用の水位基準値とを比較した結果に基づいて稼働中の水力発電機８の運転を停止する動作をいう。
【００２１】
第２のモードの一例である断水運転モードとは、水路１に接続された水槽２に通常運転用の水位基準値よりも低い第２の基準値の一例である断水運転用の水位基準値を設定して水路１を断水し、水槽２の水位を検出して得られる水位情報と断水運転用の水位基準値とを比較した結果に基づいて稼働中の水力発電機８の運転を停止する動作をいう。
【００２２】
作業者は、水力発電機８の通常運転時には、制御部９に対して通常運転モードを設定し、水力発電機８の断水運転時には、通常運転モードを解除して断水運転モードを制御部９に設定する。水力発電機８の断水運転時には、制御部９が、水力発電機８の出力を断水運転用に調節する。これにより、作業者によって水槽２の水位を監視することなく、水路断水時における水力発電機８の運転を自動的に調整できるようになる。
【００２３】
キーボード２７は、設定手段の一例として機能し、制御部９に接続される。キーボード２７は、通常運転用及び断水運転用の水位基準値を設定するようになされる。水槽２の上面を基準面とし、この基準面を０ｍとしたとき、例えば、通常運転モードの場合、作業者はキーボード２７により通常運転用の水位基準値を−１．４ｍと−１．５ｍの２段階に設定する。−１．５ｍの水位基準値は緊急停止に備えるものとする。例えば、水槽２の水位が−１．５ｍに低下しても水力発電機８が稼働している場合、水力発電機８の運転を緊急停止する。また、断水運転モードの場合、断水運転用の水位基準値を−１．８ｍと−１．９ｍの２段階に設定する。−１．９ｍの水位基準値も同様に、緊急停止用とする。図２（ｂ）にこれらの水位基準値−１．４ｍ、−１．８ｍを夫々Ｌ２、Ｌ３として示す。また、緊急停止用の水位基準値−１．５ｍ、−１．９ｍを夫々Ｌ２’、Ｌ３’と記載する。
【００２４】
制御部９は制御手段の一例として機能し、Ｉ／Ｏポート２０、駆動制御部２１、ＣＰＵ２２、ハードディスク２３、ＲＡＭ２４、ＣＰＵバス２５、及びＡ／Ｄ（analog to digital）変換器２６を備える。Ａ／Ｄ変換器２６は、Ｉ／Ｏポート２０に接続され、水位検出器７から出力されたアナログの水位情報を入力してディジタルの水位データに変換し、変換後の水位データをＣＰＵ２２へ出力する。
【００２５】
駆動制御部２１は、ＣＰＵバス２５を介してＣＰＵ２２に接続され、ＣＰＵ２２から水力発電機８を駆動又は停止する制御データを入力し、Ｉ／Ｏポート２０を介して水力発電機８に駆動又は停止データを出力して制御する。
【００２６】
ハードディスク２３は、ＣＰＵバス２５を介してＣＰＵ２２に接続され、このハードディスク２３には、水位データに基づいて水力発電機８を制御する制御プログラム等が保存されている。ＣＰＵ２２によりハードディスク２３に保存された制御プログラムが読み出される。ハードディスク２３の容量は１００Ｇバイト程度であり、増設も可能である。
【００２７】
ＲＡＭ２４は、ＣＰＵバス２５を介してＣＰＵ２２に接続され、このＲＡＭ２４の容量は、２５６Ｍバイト程度である。このＲＡＭ２４には、例えば、ハードディスク２３に記憶された制御プログラム等がＣＰＵ２２により展開される。
【００２８】
ＣＰＵ２２は、ＣＰＵバス２５を介してＡ／Ｄ変換器２６に接続され、Ａ／Ｄ変換器２６によりディジタルデータに変換された水位データを入力する。また、ＣＰＵ２２は、ＣＰＵバス２５を介して駆動制御部２１に接続され、水力発電機８を駆動又は停止する制御データを駆動制御部２１に出力する。
【００２９】
ＣＰＵ２２は、例えば、キーボード２７から入力された通常運転用の水位基準値（Ｌ２、Ｌ２’）、及び断水運転用の水位基準値（Ｌ３、Ｌ３’）をハードディスク２３に保存する。
【００３０】
ＣＰＵ２２は、作業者により通常運転モードが解除されて断水運転モードが設定されると、ＲＡＭ２４に展開された制御プログラム通常運転用の水位基準値を、断水運転用の水位基準値に変更する。例えば、通常運転用の水位基準値（Ｌ２、Ｌ２’）を断水運転用の水位基準値（Ｌ３、Ｌ３’）に変更する。また、ＣＰＵ２２は、水力発電機８の出力を断水運転用に調節する。例えば、水槽２の水位が低下するに従って、水力発電機８の出力を抑えるように制御する。
【００３１】
ＣＰＵ２２は、キーボード２７により設定された通常運転用及び断水運転用の水位基準値と、水位検出器７から得られる水位データとに基づいて、水力発電機８を駆動又は停止する制御データを駆動制御部２１に出力して水力発電機８の運転を制御する。
【００３２】
具体的には、通常運転モードの場合、ＣＰＵ２２は、通常運転用の水位基準値（Ｌ２、Ｌ２’）と水位検出器７から得られた水位データとを比較する。比較後、水位データが通常運転用の水位基準値よりも大きい時、水槽２の水位がこの水位基準値よりも高いので、水力発電機８を停止する制御データを駆動制御部２１に出力しない。ＣＰＵ２２は、比較後、水位データが通常運転用の水位基準値（Ｌ２）よりも小さい時、水槽２の水位がこの水位基準値よりも低いので、水力発電機８を停止する制御データを駆動制御部２１に出力する。また、水位データが通常運転用の水位基準値（Ｌ２’）よりも小さい時、水力発電機８を緊急に停止する制御データを駆動制御部２１に出力する。
【００３３】
駆動制御部２１は、水力発電機８を停止する制御データをＣＰＵ２２から入力すると、水力発電機８を停止するように制御する。例えば、水位データが通常運転用の水位基準値（Ｌ２’）よりも小さい時に出力される緊急の制御データを入力した場合、水力発電機８を緊急に停止するように制御する。これにより、水力発電機８が稼働中に、鉄管３の中に空気が入らないようにすることができる。
【００３４】
断水運転モードの場合、ＣＰＵ２２は、断水運転用の水位基準値（Ｌ３、Ｌ３’）と水位検出器７から得られた水位データとを比較する。比較後、水位データが断水運転用の水位基準値よりも大きい時、水槽２の水位がこの水位基準値よりも高いので、水力発電機８を停止する制御データを駆動制御部２１に出力しない。ＣＰＵ２２は、比較後、水位データが断水運転用の水位基準値（Ｌ３）よりも小さい時、水槽２の水位がこの水位基準値よりも低いので、水力発電機８を停止する制御データを駆動制御部２１に出力する。また、水位データが断水運転用の水位基準値（Ｌ３’）よりも小さい時、水力発電機８を緊急に停止する制御データを駆動制御部２１に出力する。
【００３５】
駆動制御部２１は、水力発電機８を停止する制御データをＣＰＵ２２から入力すると、水力発電機８を停止するように制御する。これにより、作業者によって水槽２の水位を監視することなく、水路断水時における水力発電機８の運転を自動的に調整できるようになる。水位データが断水運転用の水位基準値（Ｌ３’）よりも小さい時に出力される緊急の制御データを入力した場合、水力発電機８を緊急に停止するように制御する。
【００３６】
図２（ａ）及び（ｂ）は、水槽２における水位の変化例を示す説明図である。図２（ｂ）に示す水槽２は、図２（ａ）に示す水槽２のＸ−Ｘ断面図である。水槽２には、鉄管３が接続される開口部１０が備えられる。また、水槽２の内側側面の上部には、水位検出器７が取付けられている。
【００３７】
この水位検出器７は、プーリーにワイヤーが巻き付けられ、ワイヤーの一端にフロート１１が取付けられ、他端に２キロ程度のウエイトが取付けられる。フロート１１が水面Ｑ１に浮かべられ、水面Ｑ１に浮かんだフロート１１が、水面Ｑ１の上下動により浮き沈みする。例えば、水面Ｑ１が水面Ｑ２へ下がると、フロート１１は、水面Ｑ２の位置へ移動する。このとき、プーリーが回転される。このプーリーの動きが歯車などにより可変抵抗器に伝達され、この可変抵抗器の抵抗値を水位情報として、図１に示した制御部９へ出力する。
【００３８】
図２（ｂ）に示すＬ１は、水槽２の上面から底面までの水位であり、５ｍ程度である。Ｌ２は、水槽２の上面から水面Ｑ１までの水位であり、−１．４ｍである。Ｌ３は、水槽２の上面から水面Ｑ２までの水位であり、−１．８ｍである。
【００３９】
通常運転モードの場合、制御部９のＣＰＵ２２は、通常運転用の水位基準値と水位検出器７から得られた水位データとを比較する。比較後、水位データが通常運転用の水位基準値よりも大きい時、水槽２の水位がこの水面Ｑ１よりも高いので、水力発電機８を停止する制御データを駆動制御部２１に出力しない。ＣＰＵ２２は、比較後、水位データが通常運転用の水位基準値よりも小さい時、水槽２の水位がこの水面Ｑ１よりも低いので、水力発電機８を停止する制御データを駆動制御部２１に出力する。駆動制御部２１は、水力発電機８を停止する制御データをＣＰＵ２２から入力すると、水力発電機８を停止するように制御する。
【００４０】
断水運転モードの場合、ＣＰＵ２２は、断水運転用の水位基準値と水位検出器７から得られた水位データとを比較する。比較後、水位データが断水運転用の水位基準値よりも大きい時、水槽２の水位がこの水面Ｑ２よりも高いので、水力発電機８を停止する制御データを駆動制御部２１に出力しない。ＣＰＵ２２は、比較後、水位データが断水運転用の水位基準値よりも小さい時、水槽２の水位がこの水面Ｑ２よりも低いので、水力発電機８を停止する制御データを駆動制御部２１に出力する。これにより、作業者によって水槽２の水位を監視することなく、水路断水時における水力発電機８の運転を自動的に調整できるようになる。
【００４１】
図３は、断水運転モード時の水力発電機８の出力例を示す説明図である。図３に示す水力発電機８の出力例を示す説明図の縦軸には、水位（ｍ）が設定され、横軸には、出力（ＭＷ）が設定されている。水力発電機８の断水運転時には、制御部９が、水力発電機８の出力を断水運転用に調節する。例えば、水位が−１．０ｍの時には、出力が２．５ＭＷに調整され、水位が−１．８ｍの時には、出力が１．０ＭＷに調整されている。これにより、断水運転モード時に最適な電力量を発電できるようになる。
【００４２】
図４は、断水運転モード時における制御部９の動作例を示すフローチャートである。制御部９のハードディスク２３には、水位データに基づいて水力発電機８を制御する制御プログラム等が保存されている。ＲＡＭ２４には、ハードディスク２３に記憶された制御プログラムがＣＰＵ２２により展開されている。作業者は、キーボード２７からこの制御プログラムに通常運転用及び断水運転用の水位基準値を設定しておく。例えば、作業者は、通常運転用の水位基準値をＬ２とＬ２’の２段階に設定し、断水運転用の水位基準値をＬ３とＬ３’の２段階に設定する。水力発電機８は通常運転されており、通常運転モードが制御部９に設定されている。
【００４３】
これらを水力発電機８の水路断水用の運転管理の条件として、図４に示すステップＳ１で、ＣＰＵ２２は、通常運転モードが解除されたかを判定する。通常運転モードが解除されていなかった場合、再び、通常運転モードが解除されたかを判定する。通常運転モードが解除されていた場合、ステップＳ２へ移行する。
【００４４】
ステップＳ２で、ＣＰＵ２２は、断水運転モードが設定されたかを判定する。断水運転モードが設定されていなかった場合、ステップＳ３へ移行する。断水運転モードが設定されていた場合、ステップＳ４へ移行する。ステップＳ３では、ステップＳ２で断水運転モードが設定されなかったので、通常運転モードを設定してステップＳ１へ戻る。
【００４５】
ステップＳ４では、ＣＰＵ２２が、断水運転用の水位基準値を設定する。例えば、ＣＰＵ２２は、ＲＡＭ２４に展開された制御プログラム通常運転用の水位基準値を、断水運転用の水位基準値に変更する。具体的には、通常運転用の水位基準値（Ｌ２、Ｌ２’）を断水運転用の水位基準値（Ｌ３、Ｌ３’）に変更する。また、ＣＰＵ２２は、水路１を断水するように制御する。例えば、ＣＰＵ２２は、取水口５を開閉する制御装置（図示しない）へ取水口５を閉じるように要求する。続いてステップＳ５へ移行する。
【００４６】
ステップＳ５では、ＣＰＵ２２が、水力発電機８の出力を断水運転用に調節する。例えば、水位が−１．０ｍの時には、出力を２．５ＭＷに制御し、水位が−１．８ｍの時には、出力を１．０ＭＷに制御する。これにより、断水運転モード時に最適な電力量を発電できるようになる。続いてステップＳ６へ移行する。
【００４７】
ステップＳ６では、ＣＰＵ２２が、水位データを入力する。例えば、水位検出器７によって検出された水位データを入力してステップＳ７へ移行する。
【００４８】
ステップＳ７で、ＣＰＵ２２は、水位データが断水運転用の水位基準値より小であるかを判定する。例えば、ＣＰＵ２２は、断水運転用の水位基準値（Ｌ３、Ｌ３’）と水位検出器７から得られた水位データとを比較する。比較後、水位データが断水運転用の水位基準値よりも大きい時、水槽２の水位がこの水位基準値よりも高いので、水力発電機８を停止する制御データを駆動制御部２１に出力せずに、ステップＳ６へ戻り、水位データを入力する。
【００４９】
比較後、水位データが断水運転用の水位基準値（Ｌ３）がよりも小さい時、水槽２の水位がこの水位基準値よりも低いので、水力発電機８を停止する制御データを駆動制御部２１に出力する。また、水位データが断水運転用の水位基準値（Ｌ３’）よりも小さい時、水力発電機８を緊急に停止する制御データを駆動制御部２１に出力する。続いてステップＳ８へ移行する。
【００５０】
ステップＳ８では、水力発電機８の運転を停止する。例えば、駆動制御部２１は、水力発電機８の運転を停止する制御データをＣＰＵ２２から入力すると、水力発電機８を停止するように制御する。例えば、水位データが断水運転用の水位基準値（Ｌ３’）よりも小さい時に出力される緊急の制御データを入力した場合、水力発電機８を緊急に停止するように制御する。
【００５１】
このように、本発明に係る水力発電機の断水用運転管理システム１００及びその水路断水用運転管理方法によれば、水力発電用の水路１を有した水力発電所における稼動中の水力発電機８の運転を管理する場合であって、水路１に接続された水槽２に設定された通常運転用及び断水運転用の水位基準値と、水槽２の水位を検出して得られる水位データとに基づいて水力発電機８の運転を制御する制御部９を備え、水力発電機８の通常運転時には、制御部９に対して通常運転モードを設定し、水力発電機８の断水運転時には、通常運転モードを解除して断水運転モードを制御部９に設定するものである。
【００５２】
従って、作業者によって水槽２の水位を監視することなく、水路断水時における水力発電機８の運転を自動的に調整できるようになる。従って、水路１や水槽２の内部作業の効率性、及び信頼性を向上できるようになる。
【産業上の利用可能性】
【００５３】
本発明は、水力発電用の水路を有した水力発電所における稼動中の水力発電機の運転を管理する水力発電機の断水用運転管理システムに適用して好適である。
【図面の簡単な説明】
【００５４】
【図１】本発明に係る水力発電機の断水用運転管理システム１００の構成例を示す概念図である。
【図２】（ａ）及び（ｂ）は、水槽２における水位の変化例を示す説明図である。
【図３】断水運転モード時の水力発電機８の出力例を示す説明図である。
【図４】断水運転モード時における制御部９の動作例を示すフローチャートである。
【符号の説明】
【００５５】
１  水路
２  水槽
４  水力発電装置
７  水位検出器（検出手段）
９  制御部（制御手段）
２７  キーボード（設定手段）
１００  水力発電機の断水用運転管理システム
【図１】
2008057392.tif 000003
【図２】
2008057392.tif 000004
【図３】
2008057392.tif 000005
【図４】
2008057392.tif 000006